(57)【要約】    【課題】通常浮上状態でフレクシャのジンバル剛性を増加させることなく、ロード時の磁気ヘッド・スライダのピッチ姿勢角を制限する必要がある。    【解決手段】フレクシャ３の一部で形成されたリミッタ５は、ロード・ビーム２の一部で形成されたリフト・タブ１と隙間が空くように配置されている。このリミッタ隙間は磁気ヘッド・スライダ４の通常浮上状態では隙間として保たれていなければならない。磁気ヘッド・スライダ４の空気流入端側にリフト・タブ１とリミッタ５が配置される。これによりアンロード時のリミッタ隙間を小さくしアンロードを確実に行うことができるとともに、ロード時にリミッタ隙間が小さくなることにより、外乱またはロード動作そのものによる振動等で磁気ヘッド・スライダ４のピッチ姿勢角がマイナス方向に傾く場合に、その絶対値を小さく制限することができる。【選択図】図１
2006053971.tif 000002
【特許請求の範囲】
【請求項１】
リフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
を有することを特徴とするサスペンション。
【請求項２】
ベース・プレートに取り付けられる端部の方向に延伸するリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
を有することを特徴とするサスペンション。
【請求項３】
ベース・プレートに取り付けられる端部と反対方向に延伸するリフト・タブを有するロード・ビームと、
該ロード・ビームに一端が取り付けられ、他端側に磁気ヘッド・スライダを取り付ける部分と前記リフト・タブと係合するリミッタとを有するフレクシャと、
を有することを特徴とするサスペンション。
【請求項４】
前記リフト・タブと前記リミッタは、前記フレクシャの磁気ヘッド・スライダを取り付ける部分に磁気ヘッド・スライダが取り付けられた場合に、該磁気ヘッド・スライダの空気流入端側に位置するように設けられることを特徴とする請求項１乃至３のいずれかに記載のサスペンション。
【請求項５】
一端にヒンジが取り付けられ、他端側にリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
を有することを特徴とするサスペンション。
【請求項６】
一端にヒンジが取り付けられ、他端側に前記ヒンジの方向に延伸するリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
を有することを特徴とするサスペンション。
【請求項７】
一端にヒンジが取り付けられ、他端側に前記ヒンジと反対方向に延伸するリフト・タブを有するロード・ビームと、
該ロード・ビームに一端が取り付けられ、他端側に磁気ヘッド・スライダを取り付ける部分と前記リフト・タブと係合するリミッタとを有するフレクシャと、
を有することを特徴とするサスペンション。
【請求項８】
前記リフト・タブと前記リミッタは、前記フレクシャの磁気ヘッド・スライダを取り付ける部分に磁気ヘッド・スライダが取り付けられた場合に、該磁気ヘッド・スライダの空気流入端側に位置するように設けられることを特徴とする請求項５乃至７のいずれかに記載のサスペンション。
【請求項９】
ベース・プレートと、
該ベース・プレートに一端が取り付けられ、他端側にリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
該フレクシャの磁気ヘッド・スライダを取り付ける部分に取り付けられた磁気ヘッド・スライダと、
を有することを特徴とする磁気ヘッド組立体。
【請求項１０】
ベース・プレートと、
該ベース・プレートに一端が取り付けられ、他端側に前記ベース・プレートの方向に延伸するリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
該フレクシャの磁気ヘッド・スライダを取り付ける部分に取り付けられた磁気ヘッド・スライダと、
を有することを特徴とする磁気ヘッド組立体。
【請求項１１】
ベース・プレートと、
該ベース・プレートに一端が取り付けられ、他端に前記ベース・プレートと反対方向に延伸するリフト・タブを有するロード・ビームと、
該ロード・ビームに一端が取り付けられ、他端側に磁気ヘッド・スライダを取り付ける部分と前記リフト・タブと係合するリミッタとを有するフレクシャと、
該フレクシャの磁気ヘッド・スライダを取り付ける部分に取り付けられた磁気ヘッド・スライダと、
を有することを特徴とする磁気ヘッド組立体。
【請求項１２】
前記リフト・タブと前記リミッタは、前記磁気ヘッド・スライダの空気流入端側に設けられることを特徴とする請求項９乃至１１のいずれかに記載の磁気ヘッド組立体。
【請求項１３】
ベース・プレートと、
該ベース・プレートにヒンジを介して一端が取り付けられ、他端側にリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
該フレクシャの磁気ヘッド・スライダを取り付ける部分に取り付けられた磁気ヘッド・スライダと、
を有することを特徴とする磁気ヘッド組立体。
【請求項１４】
ベース・プレートと、
該ベース・プレートにヒンジを介して一端が取り付けられ、他端側に前記ベース・プレートの方向に延伸するリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
該フレクシャの磁気ヘッド・スライダを取り付ける部分に取り付けられた磁気ヘッド・スライダと、
を有することを特徴とする磁気ヘッド組立体。
【請求項１５】
ベース・プレートと、
該ベース・プレートにヒンジを介して一端が取り付けられ、他端に前記ベース・プレートと反対方向に延伸するリフト・タブを有するロード・ビームと、
該ロード・ビームに一端が取り付けられ、他端側に磁気ヘッド・スライダを取り付ける部分と前記リフト・タブと係合するリミッタとを有するフレクシャと、
該フレクシャの磁気ヘッド・スライダを取り付ける部分に取り付けられた磁気ヘッド・スライダと、
を有することを特徴とする磁気ヘッド組立体。
【請求項１６】
前記リフト・タブと前記リミッタは、前記磁気ヘッド・スライダの空気流入端側に設けられることを特徴とする請求項１３乃至１５のいずれかに記載の磁気ヘッド組立体。
【請求項１７】
磁気ディスクと、該磁気ディスクに対しデータの記録及び再生を行う磁気ヘッド・スライダと、該磁気ヘッド・スライダを保持するサスペンションとを有する磁気ディスク装置において、前記サスペンションは、
リフト・タブを有するロード・ビームと、
該ロード・ビームに一端が取り付けられ、前記リフト・タブと係合するリミッタを有し、他端側に前記磁気ヘッド・スライダを取り付ける部分を有するフレクシャと、
を有することを特徴とする磁気ディスク装置。
【請求項１８】
前記リフト・タブと前記リミッタは、前記磁気ヘッド・スライダの空気流入端側に設けられることを特徴とする請求項１７記載の磁気ディスク装置。
【請求項１９】
磁気ディスクと、該磁気ディスクに対しデータの記録及び再生を行う磁気ヘッド・スライダと、該磁気ヘッド・スライダを保持するサスペンションとを有する磁気ディスク装置において、前記サスペンションは、
一端がヒンジに取り付けられ、他端側にリフト・タブを有するロード・ビームと、
該ロード・ビームに一端が取り付けられ、前記リフト・タブと係合するリミッタを有し、他端側に前記磁気ヘッド・スライダを取り付ける部分を有するフレクシャと、
を有することを特徴とする磁気ディスク装置。
【請求項２０】
前記リフト・タブと前記リミッタは、前記磁気ヘッド・スライダの空気流入端側に設けられることを特徴とする請求項１９記載の磁気ディスク装置。
【発明の詳細な説明】
【技術分野】
【０００１】
本発明は磁気ヘッド用サスペンション、磁気ヘッド組立体および磁気ディスク装置に係り、特に磁気ヘッド・スライダのロード／アンロードを行う機構に関する。
【背景技術】
【０００２】
磁気ヘッド・スライダのロード／アンロード（Ｌ／ＵＬ）機構を用いた磁気ディスク装置では、装置動作時には磁気ヘッド・スライダが磁気ディスク上を浮上して情報を記録・再生している。磁気ヘッド・スライダにはサスペンションから磁気ディスク面に押し付ける所定の荷重が加えられ、磁気ヘッド・スライダと磁気ディスク面との間で発生する空気流の圧力と釣り合い、磁気ヘッド・スライダと磁気ディスクとの隙間、すなわち磁気ヘッド・スライダの浮上量を所定の値に維持している。記録・再生を行わないときには磁気ヘッド・スライダをディスクの外にアンロードし、記録・再生時には再度磁気ヘッド・スライダをディスクにロードしている。
【０００３】
図８に従来の磁気ヘッド組立体を示すが、Ｌ／ＵＬ用のサスペンションには磁気ヘッド・スライダの姿勢を制限する機構(リミッタ)５が用いられていることが多い。このリミッタ５の機能は非動作時の衝撃入力に対しても磁気ヘッド・スライダ４の姿勢を制限し、磁気ヘッド・スライダ４、フレクシャ３の損傷を防ぐため、または磁気ヘッド・スライダ４をアンロードする時に負圧力を発生している磁気ヘッド・スライダ４をディスク面から引き剥がし易くするためである。
【０００４】
磁気ヘッド・スライダ４が取り付けられているフレクシャ３がロード・ビーム２からある距離以上に離れようとすると、リミッタ５がロード・ビーム２に係合し、フレクシャ３の動きを制限するようになっている。通常浮上時には磁気ヘッド・スライダ４がディスクに十分追従するための自由度を確保するため、アクチュエータ・アーム６とディスクとの設定高さ、傾き、ばらつき等に対してもリミッタ５がロード・ビーム２と接触し浮上状態を乱すことがないように十分な隙間をとっている。
【０００５】
ロード・ビーム２の先端には、Ｌ／ＵＬ用のリフト・タブ１が設けられ、リミッタ５は磁気ヘッド・スライダ４の空気流入端側に設けられている。リフト・タブ１がランプ機構に乗り上げることで磁気ヘッド・スライダ４を磁気ディスク面からアンロードしている。リフト・タブ１がランプ機構に乗り上げ弾性変形してもリミッタ隙間は小さくならないので、磁気ヘッド・スライダ４のピッチ方向の姿勢変動を制限することはできない。
【０００６】
特許文献１には、スライダのディスクとの接触角を制御するために、スライダの空気流入端側とロード・ビーム部の間を連接するスライダ姿勢制御機構を設ける発明が開示されている。また、特許文献２には、ヘッド・スタック・アセンブリの組み込み時に衝撃によるスライダのピッチング動作を制限するために、ロード・ビームにスライダのピッチングを制限する機構を設ける発明が開示されている。
【０００７】
【特許文献１】特開２０００−７６８１２号公報
【特許文献２】特表平１１−５００８５２号公報
【発明の開示】
【発明が解決しようとする課題】
【０００８】
磁気ヘッド・スライダをディスクにロードする時に外乱あるいはロード動作そのものにより振動が生じると磁気ヘッド・スライダのピッチ姿勢角がマイナス方向（浮上面空気流入端側が流出端よりディスク面に近づく方向）になる場合がある。磁気ヘッド・スライダが空気流入端からロードすると、ディスク面に損傷が発生する確率が高くなる。特に低浮上量化を狙い平滑化されたディスクでは接触時の摩擦力が大きく、磁気ヘッド・スライダの空気流入端からのロードは損傷の確率が高くなる。ロード時の信頼性確保は大きな課題である。
【０００９】
また負圧力の大きい磁気ヘッド・スライダをアンロードするにはリミッタ隙間が広過ぎると、小さいリフト量では所定の位置でアンロードできずに、磁気ヘッド・スライダがディスクの最外周にまで浮上状態で進んでしまい、信頼性を低下させかねない課題がある。
【００１０】
特許文献１に開示された機構は部材でスライダ流入端側とロード・ビーム部を連接しており、フレクシャのジンバル剛性を増加させてしまう。また特許文献２に開示されている技術は組み込み時のためのもので、磁気ディスク装置の動作時のロード／アンロードに対して考慮されたものではない。通常浮上状態でフレクシャのジンバル剛性を増加させることなく、ロード時の磁気ヘッド・スライダのピッチ姿勢角を制限することは困難である。
【００１１】
本発明の目的は、磁気ヘッド・スライダのピッチ方向の姿勢変動を制限することができるサスペンションを提供することである。
【００１２】
本発明の他の目的は、磁気ヘッド・スライダのピッチ方向の姿勢変動を制限することができる磁気ヘッド組立体を提供することである。
【００１３】
本発明のさらに他の目的は、磁気ヘッド・スライダのロード、アンロード時の信頼性を向上することができる磁気ディスク装置を提供することである。
【課題を解決するための手段】
【００１４】
上記目的を達成するために、本発明のサスペンションにおいては、
リフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
を有することを特徴とする。
【００１５】
上記目的を達成するために、本発明のサスペンションにおいては、
ベース・プレートに取り付けられる端部の方向に延伸するリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
を有することを特徴とする。
【００１６】
上記目的を達成するために、本発明のサスペンションにおいては、
ベース・プレートに取り付けられる端部と反対方向に延伸するリフト・タブを有するロード・ビームと、
該ロード・ビームに一端が取り付けられ、他端側に磁気ヘッド・スライダを取り付ける部分と前記リフト・タブと係合するリミッタとを有するフレクシャと、
を有することを特徴とする。
【００１７】
前記リフト・タブと前記リミッタは、前記フレクシャの磁気ヘッド・スライダを取り付ける部分に磁気ヘッド・スライダが取り付けられた場合に、該磁気ヘッド・スライダの空気流入端側に位置するように設けられる。
【００１８】
上記目的を達成するために、本発明のサスペンションにおいては、
一端にヒンジが取り付けられ、他端側にリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
を有することを特徴とする。
【００１９】
上記目的を達成するために、本発明のサスペンションにおいては、
一端にヒンジが取り付けられ、他端側に前記ヒンジの方向に延伸するリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
を有することを特徴とする。
【００２０】
上記目的を達成するために、本発明のサスペンションにおいては、
一端にヒンジが取り付けられ、他端側に前記ヒンジと反対方向に延伸するリフト・タブを有するロード・ビームと、
該ロード・ビームに一端が取り付けられ、他端側に磁気ヘッド・スライダを取り付ける部分と前記リフト・タブと係合するリミッタとを有するフレクシャと、
を有することを特徴とする。
【００２１】
前記リフト・タブと前記リミッタは、前記フレクシャの磁気ヘッド・スライダを取り付ける部分に磁気ヘッド・スライダが取り付けられた場合に、該磁気ヘッド・スライダの空気流入端側に位置するように設けられる。
【００２２】
上記他の目的を達成するために、本発明の磁気ヘッド組立体においては、
ベース・プレートと、
該ベース・プレートに一端が取り付けられ、他端側にリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
該フレクシャの磁気ヘッド・スライダを取り付ける部分に取り付けられた磁気ヘッド・スライダと、
を有することを特徴とする。
【００２３】
上記他の目的を達成するために、本発明の磁気ヘッド組立体においては、
ベース・プレートと、
該ベース・プレートに一端が取り付けられ、他端側に前記ベース・プレートの方向に延伸するリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
該フレクシャの磁気ヘッド・スライダを取り付ける部分に取り付けられた磁気ヘッド・スライダと、
を有することを特徴とする。
【００２４】
上記他の目的を達成するために、本発明の磁気ヘッド組立体においては、
ベース・プレートと、
該ベース・プレートに一端が取り付けられ、他端に前記ベース・プレートと反対方向に延伸するリフト・タブを有するロード・ビームと、
該ロード・ビームに一端が取り付けられ、他端側に磁気ヘッド・スライダを取り付ける部分と前記リフト・タブと係合するリミッタとを有するフレクシャと、
該フレクシャの磁気ヘッド・スライダを取り付ける部分に取り付けられた磁気ヘッド・スライダと、
を有することを特徴とする。
【００２５】
前記リフト・タブと前記リミッタは、前記磁気ヘッド・スライダの空気流入端側に設けられる。
【００２６】
上記他の目的を達成するために、本発明の磁気ヘッド組立体においては、
ベース・プレートと、
該ベース・プレートにヒンジを介して一端が取り付けられ、他端側にリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
該フレクシャの磁気ヘッド・スライダを取り付ける部分に取り付けられた磁気ヘッド・スライダと、
を有することを特徴とする。
【００２７】
上記他の目的を達成するために、本発明の磁気ヘッド組立体においては、
ベース・プレートと、
該ベース・プレートにヒンジを介して一端が取り付けられ、他端側に前記ベース・プレートの方向に延伸するリフト・タブを有するロード・ビームと、
該ロード・ビームに一端が取り付けられ、前記リフト・タブと係合するリミッタを有し、他端側に磁気ヘッド・スライダを取り付ける部分を有するフレクシャと、
該フレクシャの磁気ヘッド・スライダを取り付ける部分に取り付けられた磁気ヘッド・スライダと、
を有することを特徴とする。
上記他の目的を達成するために、本発明の磁気ヘッド組立体においては、
ベース・プレートと、
該ベース・プレートにヒンジを介して一端が取り付けられ、他端に前記ベース・プレートと反対方向に延伸するリフト・タブを有するロード・ビームと、
該ロード・ビームに一端が取り付けられ、他端側に磁気ヘッド・スライダを取り付ける部分と前記リフト・タブと係合するリミッタとを有するフレクシャと、
該フレクシャの磁気ヘッド・スライダを取り付ける部分に取り付けられた磁気ヘッド・スライダと、
を有することを特徴とする。
【００２８】
前記リフト・タブと前記リミッタは、前記磁気ヘッド・スライダの空気流入端側に設けられる。
【００２９】
上記さらに他の目的を達成するために、本発明の磁気ディスク装置においては、
磁気ディスクと、該磁気ディスクに対しデータの記録及び再生を行う磁気ヘッド・スライダと、該磁気ヘッド・スライダを保持するサスペンションとを有する磁気ディスク装置において、前記サスペンションは、
リフト・タブを有するロード・ビームと、
該ロード・ビームに一端が取り付けられ、前記リフト・タブと係合するリミッタを有し、他端側に前記磁気ヘッド・スライダを取り付ける部分を有するフレクシャと、
を有することを特徴とする。
【００３０】
前記リフト・タブと前記リミッタは、前記磁気ヘッド・スライダの空気流入端側に設けられる。
【００３１】
上記さらに他の目的を達成するために、本発明の磁気ディスク装置においては、
磁気ディスクと、該磁気ディスクに対しデータの記録及び再生を行う磁気ヘッド・スライダと、該磁気ヘッド・スライダを保持するサスペンションとを有する磁気ディスク装置において、前記サスペンションは、
一端がヒンジに取り付けられ、他端側にリフト・タブを有するロード・ビームと、
該ロード・ビームに一端が取り付けられ、前記リフト・タブと係合するリミッタを有し、他端側に前記磁気ヘッド・スライダを取り付ける部分を有するフレクシャと、
を有することを特徴とする。
【００３２】
前記リフト・タブと前記リミッタは、前記磁気ヘッド・スライダの空気流入端側に設けられる。
【発明の効果】
【００３３】
本発明によれば、磁気ヘッド・スライダのピッチ姿勢角の変動を制限することができる。
【発明を実施するための最良の形態】
【００３４】
図７に本発明の磁気ヘッド組立体を搭載した磁気ディスク装置２０の構成を示す。ベース２１に固定されたスピンドル・モータの回転軸２２に磁気ディスク２３が装着され、回転駆動される。ピボット２４にアクチュエータ・アーム２５が軸支され、アクチュエータ・アーム２５の一端には磁気ヘッド組立体２６が取り付けられ、他端には、ボイス・コイル・モータ２７を構成するコイル（図示せず）が取り付けられている。磁気ヘッド組立体２６を構成するサスペンションの先端には磁気ヘッド・スライダ（図示せず）が取り付けられている。ベース２１にはランプ機構２８が設けられており、磁気ディスク２３の外周側に位置している。ランプ機構２８は磁気ヘッド・スライダのアンロード時に、リフト・タブ（図示せず）が乗り上げるスロープが形成されている。
【００３５】
ボイス・コイル・モータ２７のコイルに通電することによりアクチュエータ・アーム２５に回転トルクが発生し、アクチュエータ・アーム２５に取り付けられている磁気ヘッド組立体２６が磁気ディスク２３の半径方向に移動される。この回転動作により磁気ヘッド組立体２６を構成するサスペンションの先端に取り付けられている磁気ヘッド・スライダが、磁気ディスク２３の半径方向位置の任意の位置に移動され、データの記録、再生を行う。磁気ヘッド・スライダのアンロード時には、リフト・タブがランプ機構２８のスロープに乗り上げるように移動され、ロード時は、ランプ機構２８に待機中の状態から、磁気ディスク２３の記録面にロードされる。
【００３６】
次に本発明の一実施例による磁気ヘッド組立体２６の斜視図を図１に示す。アクチュエータ・アーム２５に取り付けられるベース・プレート６にヒンジ７を介してロード・ビーム２は溶接され、そのロード・ビーム２にフレクシャ３が溶接され、フレクシャ３に磁気ヘッド・スライダ４が取り付けられている。ヒンジ７を曲げることにより、ロード・ビーム２、ロード・ビーム２の先端に形成されたディンプル９を介して磁気ヘッド・スライダ４に磁気ディスク方向への荷重が加わる。ここでヒンジ７、ロード・ビーム２、フレクシャ３の組立体がサスペンションを構成する。
【００３７】
フレクシャ３の一部で形成されたリミッタ５は、ロード・ビーム２の一部で形成されたリフト・タブ１と隙間が空くように配置されている。このリミッタ隙間は磁気ヘッド・スライダ４の通常浮上状態では隙間として保たれていなければならない。隙間がなくなり接触するとフレクシャ３のジンバル剛性が硬くなり、磁気ヘッド・スライダ４の正常な浮上が出来なくなってしまう。磁気ディスク装置内の部品の種々のばらつきに対しても通常浮上状態ではこのリミッタ隙間を保つ必要がある。
【００３８】
図２に磁気ヘッド組立体２６と磁気ディスク２３およびランプ機構２８の位置関係を示す。磁気ディスク２３は概ね磁気ヘッド組立体２６のベース・プレート６側から磁気ヘッド・スライダ４に向かう方向２９に回転している。磁気ヘッド・スライダ４の空気流入端側にリフト・タブ１とリミッタ５が配置され、リフト・タブ１と係合するようにランプ機構２８が配置される。
【００３９】
図３Ａに磁気ヘッド・スライダ４の浮上状態での磁気ヘッド組立体２６の側面図を、図３Ｂにアンロード状態での磁気ヘッド組立体２６の側面図を示す。図３Ａの浮上状態ではリミッタ隙間Ｇは磁気ディスク装置での各部品および組立のばらつきに対してもリミッタ隙間Ｇが十分に保たれるようになっている。図３Ｂに示したアンロード状態ではリフト・タブ１がランプ機構２８に乗り上げ、リフト・タブ１が弾性変形しリミッタ隙間Ｇが減少することを示している。アンロード状態では磁気ヘッド・スライダ４のピッチの初期姿勢角が付与されており、ピッチ姿勢角は若干プラスに設定されることが多い。図３Ｂではピッチ姿勢角はゼロすなわち磁気ヘッド・スライダ４とディスク２３が平行となっている場合を示している。
【００４０】
磁気ヘッド・スライダ４はロード・ビーム２の先端に設けられたディンプル９を中心にある角度回転するが、ピッチ姿勢角がマイナスとなる方向すなわち磁気ヘッド・スライダ４の空気流入端８がディスクに近づく方向に回転するとリミッタ隙間Ｇが狭まり、この部分が接触し回転を制限するので、マイナスのピッチ姿勢角の絶対値をある値以下に制限することが可能となる。したがって、ロード時に磁気ヘッド・スライダ４が空気流入端８側から磁気ディスク２３にローディングすることがなくなり信頼性が向上する。また、負圧力の大きい磁気ヘッド・スライダをアンロードする際にはフレクシャ３がディンプル９から離れることがあるが、この場合もリフト・タブ１の弾性変形によりリミッタ隙間Ｇが減少しているので、アンロードが容易になり、アンロード時の信頼性も向上することが可能である。
【００４１】
本発明の磁気ヘッド組立体の他の実施例を図４に示す。図５にこの実施例の場合の磁気ヘッド組立体２６と磁気ディスク２３とランプ機構２８の位置関係を示す。上記第一の実施例との違いは、リフト・タブ１がロード・ビーム２の先端に形成され、リミッタ５もリフト・タブ１と係合するように、フレクシャ３の先端に形成されている点である。この実施例が適用される磁気ディスク装置では上記第一の実施例とは磁気ディスク２３の回転方向３０が逆転している。したがって、この実施例においてもリフト・タブ１およびリミッタ５は磁気ヘッド・スライダ４の空気流入端側に位置している。
【００４２】
図６Ａに磁気ヘッド・スライダ４の浮上状態での磁気ヘッド組立体の側面図を、図６Ｂにアンロード状態での磁気ヘッド組立体の側面図を示す。図６Ａの浮上状態ではリミッタ隙間Ｇは磁気ディスク装置での各部品および組立のばらつきに対してもリミッタ隙間Ｇが十分に保たれるようになっている。図６Ｂに示したアンロード状態ではリフト・タブ１がランプ機構２８に係合し、リフト・タブ１が弾性変形しリミッタ隙間Ｇが減少している。これによって磁気ヘッド・スライダ４の空気流入端８がディスク面に近づく方向のピッチ姿勢角は制限されることになり、磁気ヘッド・スライダ４がディスク面にロードする際の信頼性を向上することができる。負圧力の大きい磁気ヘッド・スライダをアンロードする際にはフレクシャ３がディンプル９から離れることがあるが、この場合もリフト・タブ１の弾性変形によりリミッタ隙間Ｇが減少しているので、アンロードが容易になり、アンロードの信頼性も向上することが可能である。
【００４３】
上記実施例では、サスペンションはヒンジ７と、ロード・ビーム２と、フレクシャ３の組立体で構成されているが、この構成に限られるものではなく、図７に示すようにヒンジとロード・ビームが一体部品となっているロード・ビーム２を有するサスペンションであっても良い。この場合は、ロード・ビーム２のベース・プレート６との接合部近傍がバネ部であり荷重発生部となっている。
【００４４】
以上の説明のとおり本発明の各実施例によれば、外乱振動等でロード時の磁気ヘッド・スライダのピッチ姿勢角がマイナスとなる場合にも、ピッチ姿勢角の絶対値をある値以下に制限することが可能となり、ロード時の信頼性を向上することができる。また、リフト・タブの弾性変形によりリミッタ隙間が減少するので、アンロードが容易になり、アンロード時の信頼性も向上することができる。
【図面の簡単な説明】
【００４５】
【図１】本発明の一実施例による磁気ヘッド組立体の斜視図である。
【図２】本発明の一実施例による磁気ヘッド組立体と磁気ディスクとランプ機構の関係を示す斜視図である。
【図３Ａ】本発明の一実施例による磁気ヘッド組立体の浮上状態での側面図である。
【図３Ｂ】本発明の一実施例による磁気ヘッド組立体のアンロード状態での側面図である。
【図４】本発明の他の実施例による磁気ヘッド組立体の斜視図である。
【図５】本発明の他の実施例による磁気ヘッド組立体と磁気ディスクとランプ機構の関係を示す斜視図である。
【図６Ａ】本発明の他の実施例による磁気ヘッド組立体の浮上状態での側面図である。
【図６Ｂ】本発明の他の実施例による磁気ヘッド組立体のアンロード状態での側面図である。
【図７】本発明のさらに他の実施例による磁気ヘッド組立体の斜視図である。
【図８】本発明の一実施例による磁気ディスク装置の斜視図である。
【図９】従来の磁気ヘッド組立体の斜視図である。
【符号の説明】
【００４６】
１…リフト・タブ、
２…ロード・ビーム、
３…フレクシャ、
４…磁気ヘッド・スライダ、
５…リミッタ、
６…ベース・プレート、
７…ヒンジ、
８…スライダ空気流入端、
９…ディンプル、
２１…ベース、
２２…回転軸、
２３…磁気ディスク、
２４…ピボット、
２５…アクチュエータ・アーム、
２６…磁気ヘッド組立体、
２７…ボイス・コイル・モータ、
２８…ランプ機構。
【図１】
2006053971.tif 000003
【図２】
2006053971.tif 000004
【図３Ａ】
2006053971.tif 000005
【図３Ｂ】
2006053971.tif 000006
【図４】
2006053971.tif 000007
【図５】
2006053971.tif 000008
【図６Ａ】
2006053971.tif 000009
【図６Ｂ】
2006053971.tif 000010
【図７】
2006053971.tif 000011
【図８】
2006053971.tif 000012
【図９】
2006053971.tif 000013